(57)【特許請求の範囲】
【請求項１】
ダイス(1)の吐出面(1a)を覆う状態で配設され全体形状が箱型をなすと共に下部開放型の安全カバー(5)と、前記安全カバー(5)に設けられた回転軸挿入筒(6)内に設けられた外部回転軸(7)と、前記外部回転軸(7)内にボールベアリング(11,12)を介して回転及び軸方向移動自在に設けられた内部回転軸(8)と、前記内部回転軸(8)に接続され先端にワイパー(20)を有するワイパーホルダ(21)を有する軸(10)と、前記内部回転軸(8)の外端部に設けられ前記軸(10)を回転させるための回転ハンドル(13)と、前記安全カバー(5)に設けられ噴水ノズル(26)を有する給水配管(25)と、を備え、
前記噴水ノズル(26)からの噴水(26a)を前記吐出面(1a)に供給すると共に、前記ワイパーホルダ(21)を介して前記ワイパー(20)が回転することにより、前記吐出面(1a)上の清掃が行われることを特徴とするダイス表面の清掃装置。
【請求項２】
前記外部回転軸(7)に設けられた軸方向位置調整ハンドル(9)を有することを特徴とする請求項１記載のダイス表面の清掃装置。
【請求項３】
前記外部回転軸(7)には、前記回転ハンドル(13)に隣してチェーンスプロケット(14)が設けられていることを特徴とする請求項１又は２記載のダイス表面の清掃装置。
【請求項４】
ダイス(1)の吐出面(1a)を覆う状態で配設され全体形状が箱型をなすと共に下部開放型の安全カバー(5)と、前記安全カバー(5)に設けられた回転軸挿入筒(6)内に設けられた外部回転軸(7)と、前記外部回転軸(7)内にボールベアリング(11,12)を介して回転及び軸方向移動自在に設けられた内部回転軸(8)と、前記内部回転軸(8)に接続され先端にワイパー(20)を有するワイパーホルダ(21)を有する軸(10)と、前記内部回転軸(8)の外端部に設けられ前記軸(10)を回転させるための回転ハンドル(13)と、前記安全カバー(5)に設けられ噴水ノズル(26)を有する給水配管(25)と、を用い、
前記噴水ノズル(26)からの噴水(26a)を前記吐出面(1a)に供給すると共に、前記ワイパーホルダ(21)を介して前記ワイパー(20)が回転することにより、前記吐出面(1a)上の清掃を行うことを特徴とするダイス表面の清掃方法。
【請求項５】
前記外部回転軸(7)に設けられた軸方向位置調整ハンドル(9)を有することを特徴とする請求項４記載のダイス表面の清掃方法。
【請求項６】
前記外部回転軸(7)には、前記回転ハンドル(13)に隣してチェーンスプロケット(14)が設けられていることを特徴とする請求項４又は５記載のダイス表面の清掃方法。
【発明の詳細な説明】
【技術分野】
【０００１】
本発明は、ダイス表面の清掃装置及び方法に関し、特に、合成樹脂を溶融混練する押出機の先端に設けられるダイスの表面をワイパーホルダのワイパーによって清掃するための新規な改良に関する。
【背景技術】
【０００２】
一般に、合成装置により生産された合成樹脂原料は、通常、原料の品質改善あるいは均質化等を目的として、スクリュが内挿されるシリンダを主要構成部とするスクリュ式押出機（以下において、「押出機」と略して記述する。）により溶融混練され吐出され、造粒装置によりペレットに造粒されている。押出機において、軸芯を水平にして配置されるシリンダの先端には、吐出表面を鉛直とするようにダイスが配置されている。溶融混練された溶融状態の合成樹脂原料は、ダイス表面の円形帯状の範囲に形成された多数のダイス孔を通過し、水平方向へ紐（ストランド）状に吐出される。
【０００３】
運転中の押出機が、生産を終えてあるいは何らかの保全理由等により一時的に運転停止された場合、シリンダ内に残存する高温溶融状態の合成樹脂原料が、ダイス孔から自然に流れ出てきて、ダイスの表面を下方へ垂れて流れる。溶融状態の合成樹脂原料は金属製のダイスの表面に対し濡れ性がある。従って、垂れ流し状態で放置すると、冷えた合成樹脂原料がダイス表面に強固に固着する。固着した合成樹脂原料を取除くことは非常に困難であり、多くの労力を必要とする。
【０００４】
押出機を運転し造粒を開始する場合、造粒装置の切断刃が平面状のダイス表面に沿って滑らかに摺動する必要があるため押出機が運転を停止されそのまま放置されて、冷えた合成樹脂原料がダイス表面に固着した状態では、造粒装置を正常な状態で運転始動することはできない。従って、押出機の運転が停止されたときは、ダイス孔から流れ出る合成樹脂原料が必ず取除かれ、ダイス表面の清掃が行われる。
【０００５】
この押出機が運転を停止されたときのダイス表面の清掃は、従来、図７に示されるように、保全係員の人力により行われている。すなわち、押出機の先端部から造粒装置を分解撤去して作業スペースを確保した後、スクレーパー、平先シャベルなどの作業道具２を使用してダイス１の吐出面１ａをスクレーパー２又は平先シャベルで掻き落とし、ダイス孔から垂れて流れる溶融樹脂３を掻き取っている。従って、ダイスに直接設置する清掃装置は開発されておらず、文献等も存在していない。
【発明の開示】
【発明が解決しようとする課題】
【０００６】
従来の押出機用ダイス表面の清掃装置及び方法は、以上のように構成されていたため、次のような課題が存在していた。すなわち、押出機１台当りの処理能力が大容量化され、装置が大型化されており、そのような状況に伴い、ダイス孔の数が増加して円形のダイスの直径が大径となり、保全係員による清掃作業が困難になっている。大容量化された押出機において、運転を停止されたときの、ダイス孔から流れ出てきてダイスの表面を垂れて流れる合成樹脂原料の量が多くなり、保全係員の人力では処理仕切れなくなっている。また、装置が大型化され、ダイスの位置が床面から高くなるとともに、大径化により、清掃作業の位置が高くなった。その結果、清掃作業者が背伸びするなど、無理な姿勢で作業しなければならない状態になった。さらには、高温の溶融樹脂が清掃作業者の上方あるいは頭上から落下してくる状態が起こるようになり、清掃作業者にとって負担が増加していた。
【課題を解決するための手段】
【０００７】
本発明によるダイス表面の清掃装置は、ダイスの吐出面を覆う状態で配設され全体形状が箱型をなすと共に下部開放型の安全カバーと、前記安全カバーに設けられた回転軸挿入筒内に設けられた外部回転軸と、前記外部回転軸内にボールベアリングを介して回転及び軸方向移動自在に設けられた内部回転軸と、前記内部回転軸に接続され先端にワイパーを有するワイパーホルダを有する軸と、前記内部回転軸の外端部に設けられ前記軸を回転させるための回転ハンドルと、前記安全カバーに設けられ噴水ノズルを有する給水配管と、を備え、前記噴水ノズルからの噴水を前記吐出面に供給すると共に、前記ワイパーホルダを介して前記ワイパーが回転することにより、前記吐出面上の清掃が行われる構成であり、また、前記外部回転軸に設けられた軸方向位置調整ハンドルを有する構成であり、また、前記外部回転軸には、前記回転ハンドルに隣してチェーンスプロケットが設けられている構成であり、また、本発明によるダイス表面の清掃方法は、ダイスの吐出面を覆う状態で配設され全体形状が箱型をなすと共に下部開放型の安全カバーと、前記安全カバーに設けられた回転軸挿入筒内に設けられた外部回転軸と、前記外部回転軸内にボールベアリングを介して回転及び軸方向移動自在に設けられた内部回転軸と、前記内部回転軸に接続され先端にワイパーを有するワイパーホルダを有する軸と、前記内部回転軸の外端部に設けられ前記軸を回転させるための回転ハンドルと、前記安全カバーに設けられ噴水ノズルを有する給水配管と、を用い、前記噴水ノズルからの噴水を前記吐出面に供給すると共に、前記ワイパーホルダを介して前記ワイパーが回転することにより、前記吐出面上の清掃を行う方法であり、また、前記外部回転軸に設けられた軸方向位置調整ハンドルを有する方法であり、また、前記外部回転軸には、前記回転ハンドルに隣してチェーンスプロケットが設けられている方法である。
【発明の効果】
【０００８】
本発明によるダイス表面の清掃装置及び方法は、以上のように構成されているため、次のような効果を得ることができる。すなわち、ダイスの吐出面を覆う状態で配設され全体形状が箱型をなすと共に下部開放型の安全カバーと、前記安全カバーに設けられた回転軸挿入筒内に設けられた外部回転軸と、前記外部回転軸内にボールベアリングを介して回転及び軸方向移動自在に設けられた内部回転軸と、前記内部回転軸に接続され先端にワイパーを有するワイパーホルダを有する軸と、前記内部回転軸の外端部に設けられ前記軸を回転させるための回転ハンドルと、前記安全カバーに設けられ噴水ノズルを有する給水配管と、を備え、前記噴水ノズルからの噴水を前記吐出面に供給すると共に、前記ワイパーホルダを介して前記ワイパーが回転することにより、前記吐出面上の清掃が行われる構成と方法であるため、ダイスの吐出面から吐出する溶融樹脂は、水で冷却されつつワイパーで除去され、安全カバーから飛散することもなく、安全カバーの下部の開口から固化状の樹脂を排出することができる。
また、前記外部回転軸に設けられた軸方向位置調整ハンドルを有することにより、簡単に安全カバーの外部からワイパーを回転することができる。
また、前記外部回転軸には、前記回転ハンドルに隣してチェーンスプロケットが設けられていることにより、チェーンを介してワイパーを回転することができる。
【発明を実施するための最良の形態】
【０００９】
本発明は、押出機の先端に設けられるダイスの表面に下部開放型の安全カバーを配設し、この安全カバー内に位置して回転するワイパーホルダのワイパーによりダイスの表面を安全に清掃するようにしたダイス表面の清掃装置及び方法を提供することを目的とする。
【実施例】
【００１０】
以下、図面と共に本発明によるダイス表面の清掃装置及び方法の好適な実施の形態について説明する。
尚、従来例と同一又は同等部分については同一符号を用いて説明する。
図１において符号４で示されるものはダイス１の表面である吐出面１ａに配設された清掃装置であり、この清掃装置４の安全カバー５は全体形状が箱型をなすと共に、下部に開口１Ａを有する下部開口型で構成されている。
【００１１】
前記安全カバー５の前板５ａには、回転軸挿入筒６が（図４に詳細を示す）設けられている。
前記回転軸挿入筒６には、図４に示すように、円筒状の外部回転軸７及び外部回転軸７の円筒内に挿入されると共にその両端から突出する円柱状の内部回転軸８により構成され、外部回転軸７が前記安全カバー５の回転軸挿入筒６に挿入されている。この外部回転軸７は、前記回転軸挿入筒６に挿入されてネジ結合して構成され、回転軸挿入筒６に挿入されない外部回転軸７の中間部には、前記軸方向位置調整ハンドル９が軸芯に対して軸直角に保持されている。
【００１２】
前記内部回転軸８は、前記安全カバー５内へ突出する軸１０にネジ結合し一体化されている。なお、内部回転軸８は、１個以外の複数の軸を一体化して構成されてもよい。前記内部回転軸８は外部回転軸７内の両端部において、先端（図４における左）側にスラストボールベアリング１１、後端（図４における右）側にラジアルボールベアリング１２を設けて支持されている。
【００１３】
前記内部回転軸８の後端部には、周囲を一回りする円周上の複数個所（例えば図３に示すように６箇所）に、複数の棒状の回転ハンドル１３が放射状に設けられていると共に、チェーンスプロケット１４がこれに隣接して固定して設けられている。このチェーンスプロケット１４には、図１あるいは図３に示すように、チェーン１５が掛けられている。尚、回転ハンドル１３は複数本の棒状部材に限定されるものではなく、車輪状に一体化して構成されてもよい。
【００１４】
前記軸１０の先端には、金属製のワイパー２０を有するワイパーホルダ２１が設けられ、このワイパーホルダ２１は前記ダイス１の吐出面１ａに沿って設けられ、このワイパーホルダ２１は、円形帯状に分布する吐出面１ａより小径の円形に形成される保持部材２２とこの保持部材２２から半径方向に突出する複数の支持部材２３とからなり、前記各ワイパー２０はこの支持部材２３に支持されている。
【００１５】
前記安全カバー５に設けられた給水配管２５は、図１及び図２に示すように、前記安全カバー５の前板５ａの内側に設けられ、この給水配管２５は、前記ダイス１の吐出面１ａに沿って円形に構成して配置され、円形帯状に分布する多数のダイス孔（図示せず）の全域を冷却するように複数の噴水ノズル２６が設けられている。
【００１６】
以上のように構成される押出機用ダイス表面の清掃装置４は、以下のように使用される。すなわち、運転中の押出機が運転停止されると、直ちに、ダイス１に対面して配置された造粒装置を分解撤去し、その後、清掃装置４をダイス１に組み付ける。その結果、ダイス１の吐出面１ａが清掃装置４の安全カバー５により覆われる。
【００１７】
次に、軸方向位置調整ハンドル９を操作して外部回転軸７を回転すると、安全カバー５の回転軸挿入筒６のメネジ６ａと外部回転軸７のオネジ７ａとがネジ結合されていること及びスラストボールベアリング１１により外部回転軸７と内部回転軸８とが相互の軸方向移動をできないことにより、外部回転軸７が安全カバー５内へ微小距離づつ前進・後退移動する。前記軸方向位置調整ハンドル９を操作することにより、外部回転軸７が回転して軸方向へ前進・後退し、内部回転軸８が同量の前進・後退を行い、ワイパーホルダ２１が同量の前進・後退を行い、ワイパー２０が同量の前進・後退を行い、ワイパー２０がダイス１の吐出面１ａに対して同量の接近・離反（図１の実線及び点線で示されるように軸方向移動）を行う。従って、軸方向位置調整ハンドル９を操作し、ワイパー２０が適度の加圧状態でダイス１の吐出面１ａに接触するように調整する。
【００１８】
次に、外部の図示しない給水管から給水管接続部を経て給水配管２５へ冷却水を供給し、噴水ノズル２６から連続的に噴出させると、冷却水は給水配管２５に設けられた複数の噴水ノズル２６から吐出面１ａに向けて噴出され、円形帯状に分布する多数のダイス孔の全域を覆うように噴出される。従って、多数のダイス孔が分布する全域において、吐出面１ａ及びダイス孔から流れ出てくる溶融樹脂３が順次冷却される。噴水ノズル２６から噴出される冷却水により、ダイス孔から流れ出てくる溶融樹脂３の外周が充分ではないが冷却されて固化し、吐出面１ａを垂れて流れるのではなく、ややストランド状に押出される状態となる。
【００１９】
次に、回転ハンドル１３を操作（手動又はモータ）して内部回転軸８を回転すると、ワイパーホルダ２１が旋回し、ワイパー２０が旋回すると共に、溶融樹脂３の掻き取りを行うことができる。この掻き取られた溶融樹脂３は、噴出された冷却水とともに安全カバー５内を落下し、開放された開口６から外部へ落下する。尚、前記回転ハンドル１３の代わりにチェーン１５によるワイパーホルダ２１の回転操作を行うこともできる。
【図面の簡単な説明】
【００２０】
【図１】本発明によるダイス表面の清掃装置を示す側断面図である。
【図２】図１において左側面図である。
【図３】図１において右側面図である。
【図４】本発明によるダイス表面の清掃装置の回転軸部を示す拡大断面図である。
【図５】図１のワイパーを示す拡大図である。
【図６】図１の噴水ノズルを示す拡大図である。
【図７】従来の清掃方法を示す構成図である。
【符号の説明】
【００２１】
１    ダイス
１ａ    吐出面
１Ａ    開口
４    清掃装置
５    安全カバー
５ａ    前板
６    回転軸挿入筒
７    外部回転軸
８    内部回転軸
９    軸方向位置調整ハンドル
１０    軸
１１    スラストボールベアリング
１２    ラジアルボールベアリング
１３    回転ハンドル
１４    チェーンスプロケット
１５    チェーン
２０    ワイパー
２１    ワイパーホルダ
２５    給水配管
２６    噴水ノズル
【図１】
0004796090.tif 000002
【図２】
0004796090.tif 000003
【図３】
0004796090.tif 000004
【図４】
0004796090.tif 000005
【図５】
0004796090.tif 000006
【図６】
0004796090.tif 000007
【図７】
0004796090.tif 000008